(57)【特許請求の範囲】
【請求項１】
飲料缶に代表されるイージーオープン機構を備え付けた容器の蓋であって、リベット中心Ｑから開口案内線までの最大距離をｗとし、タブの形状が、リベット中心Ｑを通るタブ幅方向の中心線とタブ端の交点をＸとし、これとリベット中心Ｑまでの距離をｘ、リベット中心Ｑから、タブ幅方向中心線と−５°〜−３０°をなしリベット中心Ｑを通る直線とタブ端との交点までの距離の最大値をｙ、リベット中心Ｑから、タブ幅方向中心線と４０°〜６０°をなすリベット中心Ｑを通る直線とタブ端との交点までの距離の最大値をｚ、リベット中心Ｑから、タブ幅方向中心線と５°〜３０°をなすリベット中心Ｑを通る直線とタブ端との交点までの距離の最大値をｔとするとき、
２≦ｗ／ｘ≦３かつ、ｘ−２ｍｍ≦ｙ≦ｘ＋０．５ｍかつ、
ｔ＋０．２ｍｍ≦ｚ≦ｘ＋３．５ｍｍかつ、
ｘ−２．５ｍｍ≦ｔ≦ｘ＋１．５ｍｍ
の関係であり、かつタブの形状が、リベット中心Ｑを通り、タブ幅方向中心線と４０°〜６０°をなす直線上のタブ端において、曲率半径ＺＲｚが２．５ｍｍ以下となる部分を有することを特徴とする開口の容易な蓋。
【請求項２】
タブに初期裂開のための突起Ｓを有し、リベット中心Ｑを通るタブ幅方向の中心線と突起Ｓとリベット中心Ｑとを結ぶ直線とのなす角度が−３０°以上＋１０°以下であることを特徴とする請求項１に記載の開口の容易な蓋。
【請求項３】
タブの縦方向長さａとタブ先端からタブ切れ込み先端までの距離ｂの比ｂ／ａが０．０８〜０．２であることを特徴とする請求項１または２に記載の開口の容易な蓋。
【請求項４】
タブの縦方向長さａとタブ先端からタブ切れ込み先端までの距離ｂの比ｂ／ａが０．０８〜０．２であり、リベット先端からタブ切れ込み先端までの距離ｃがｂ＋ｃ≧３ｍｍ以上であることを特徴とする請求項１または２に記載の開口の容易な蓋。
【請求項５】
タブの縦方向長さａとタブ先端からタブ切れ込み先端までの距離ｂの比ｂ／ａが０．０８〜０．２であり、リベット先端からタブ切れ込み先端までの距離ｃがｂ＋ｃ≧３ｍｍ以上であり、前述の距離ｂとタブ切れ込み先端幅ｄの比ｄ／ｃが１以上であることを特徴とする請求項１または２に記載の開口の容易な蓋。
【発明の詳細な説明】
【０００１】
【発明の属する技術分野】
本発明は、飲料等を収納する缶体容器に取り付けられるイージーオープン機構を備えた蓋に関するものである。
【０００２】
【従来の技術】
缶体容器には缶胴部とその両側に蓋を取り付けた３ピース缶と呼ばれるものと缶胴部と缶底部が一体となった容器に蓋を取り付けた２ピース缶と呼ばれるものがある。このうち２ピース缶と呼ばれるものは通常一方に取り付けられた蓋部にステイオンタイプのイージーオープン機構が備え付けられており、最近ではこの形式の缶体容器の需要が伸びている。この容器は、蓋は缶の胴体部とは別に製造され最終的に巻締めにより缶胴部に装着される。この容器の重要な特性のひとつに開蓋性があるが、この開蓋性は開口部のデザイン、開口案内線の厚み等に影響される。特開平７−２４２２３４号公報には開口部に裂開誘導用スコアーを設けることで開口性を改善する技術が、特開平８−２６２７４号公報にはリベット部の形状を制御することで開口性を改善する技術が公開されている。
【０００３】
【発明が解決しようとする課題】
前記特開平７−２４２２３４号公報に開示されている技術は開口させるためのスコアーの他に開口を誘導するための補助スコアーを設けることで開口性の目安となるホップ値およびティアー値を下げることを狙っているが、このスコアーには高い成形精度が要求されると思われることからその生産性に問題がある場合がある。また、特開平８−２６２７４号公報には通常円形状をした開口片側に相当するリベット前端部の曲率を小さくすることで開口性を向上させるものであるが、このような形状のリベットの成形は生産性に問題がある。これらの方法はどちらも蓋パネルの成形に関するものであり前述したように成形時に問題が生じる場合がある。
このような状況を鑑み、本発明の目的は蓋パネルの成形については変更を加えることなく、タブの形状を制御することで開口を容易にした蓋を提供することにある。
【０００４】
【課題を解決するための手段】
本発明者らは、上記課題を解決するために基礎的な検討を実施した。その結果、タブ先端部の形状を改良することで蓋パネルの形状を変更することなく開口性を向上できることを見出した。
すなわち本発明の要旨とするところは以下のとおりである。
（１）飲料缶に代表されるイージーオープン機構を備え付けた容器の蓋であって、リベット中心Ｑから開口案内線までの最大距離をｗとし、タブの形状が、リベット中心Ｑを通るタブ幅方向の中心線とタブ端の交点をＸとし、これとリベット中心Ｑまでの距離をｘ、リベット中心Ｑから、タブ幅方向中心線と−５°〜−３０°をなしリベット中心Ｑを通る直線とタブ端との交点までの距離の最大値をｙ、リベット中心Ｑから、タブ幅方向中心線と４０°〜６０°をなすリベット中心Ｑを通る直線とタブ端との交点までの距離の最大値をｚ、リベット中心Ｑから、タブ幅方向中心線と５°〜３０°をなすリベット中心Ｑを通る直線とタブ端との交点までの距離の最大値をｔとするとき、
２≦ｗ／ｘ≦３かつ、ｘ−２ｍｍ≦ｙ≦ｘ＋０．５ｍかつ、
ｔ＋０．２ｍｍ≦ｚ≦ｘ＋３．５ｍｍかつ、
ｘ−２．５ｍｍ≦ｔ≦ｘ＋１．５ｍｍ
の関係であり、かつタブの形状が、リベット中心Ｑを通り、タブ幅方向中心線と４０°〜６０°をなす直線上のタブ端において、曲率半径ＺＲｚが２．５ｍｍ以下となる部分を有することを特徴とする開口の容易な蓋。
【０００５】
（２）タブに初期裂開のための突起Ｓを有し、リベット中心Ｑを通るタブ幅方向の中心線と直線と突起Ｓとリベット中心Ｑとを結ぶ直線とのなす角度が−３０°以上＋１０°以下であることを特徴とする前記（１）または（２）に記載の開口の容易な蓋。
【０００６】
（３）タブの形状が、タブの縦方向長さａとタブ先端からタブ切れ込み先端までの距離ｂの比ｂ／ａが０．０８〜０．２であることを特徴とする前記（１）または（２）に記載の開口の容易な蓋。
（４）タブの形状が、タブの縦方向長さａとタブ先端からタブ切れ込み先端までの距離ｂの比ｂ／ａが０．０８〜０．２であり、リベット先端からタブ切れ込み先端までの距離ｃがｂ＋ｃ≧３ｍｍ以上であることを特徴とする前記（１）または（２）に記載の開口の容易な蓋。
【０００７】
（５）タブの形状が、タブの縦方向長さａとタブ先端からタブ切れ込み先端までの距離ｂの比ｂ／ａが０．０８〜０．２であり、リベット先端からタブ切れ込み先端までの距離ｃがｂ＋ｃ≧３ｍｍ以上であり、前述の距離ｂとタブ切れ込み先端幅ｄの比ｄ／ｃが１以上であることを特徴とする（１）または（２）に記載の開口の容易な蓋にある。
【０００８】
【発明の実施の形態】
以下、本発明について詳細に説明する。
本発明者らは、イージーオープン機構を持つ蓋を容器に備え付ける方法について様々な検討を行い、タブ先端部の形状、特にリベット取付部周りの形状を制御することで開缶の容易な容器を製造できる事を見出した。
図１に本発明の基本となる形状の外観を示す。この容器では図１に示されるタブ１の端部を持ち上げることで、開口案内線２を破断していくが、その際の開口性の目安となるものとして開口案内線２が最初に断裂する際の力であるホップ値と、その後タブ１を引っ張り上げて開口案内線２に沿って開口していく際の最大力であるティアー値がある。このホップ値とティアー値はタブ後端部に掛かる力で測定される。なお、符号３はリベットである。
【０００９】
通常のタブでは、ホップ値・ティアー値ともタブ先端が開口舌片を押し下げる際の力で決まる。ホップ値を下げるにはタブ先端を出来るだけ開口案内線に近づけることが有効であるが、近づけ過ぎると開口舌片を開口案内線に沿って開口していくためのストロークが足りなくなり全開出来なくなる。一方、タブ先端を開口案内線から離していくことで前述のストロークは十分確保できるようになるが、ホップ値が高くなり、開口性が著しく劣化する。発明者らは、種々の検討の結果、初期開口のためのタブの作用点とその後の開口のためのタブの作用点を別個に備え付けることが必要であり、そのためのタブ形状を見出した。
【００１０】
図２に図１と同様に、本発明の基本となる形状の外観を示す。また、図３は本発明に係る実施例を示す図であり、図４は同じく本発明に係る他の実施例を示す図である。これらの図に示すように、飲料缶に代表されるイージーオープン機構を備え付けた容器の蓋であってタブの形状が、リベット３中心Ｑから開口案内線２までの最大距離をｗとするとき、リベット中心Ｑを通るタブ幅方向の中心線とタブ端の位置Ｘとリベット中心Ｑまでの距離をｘ、リベット中心Ｑから、タブ幅方向中心線と−５°〜−３０°をなすリベット中心Ｑを通る直線とタブ端との交点までの距離の最大値をｙ、リベット中心Ｑから、タブ幅方向中心線と４０°〜６０°をなすリベット中心Ｑを通る直線とタブ端との交点までの距離の最大値をｚ、リベット中心Ｑから、タブ幅方向中心線と５°〜３０°をなすリベット中心Ｑを通る直線とタブ端との交点Ｔまでの距離の最大値をｔとするとき、
２≦ｗ／ｘ≦３かつ、ｘ−２ｍｍ≦ｙ≦ｘ＋０．５ｍかつ、
ｔ＋０．２ｍｍ≦ｚ≦ｘ＋３．５ｍｍかつ、
ｘ−２．５ｍｍ≦ｔ≦ｘ＋１．５ｍｍ
の関係であることが重要である。
【００１１】
以下に、ｘ，ｙ，ｚ，ｔの範囲を定めた理由を述べる。
ｗ／ｘ＞３では、開口舌片を開口案内線に沿って開口させていく時にストロークが足りずスムーズに全開出来なくなる。また、ｗ／ｘ＜２では、初期開口時の作用点がＸ近傍となり開口案内線から離れ過ぎて、ホップ値が高くなり、開口性が著しく劣化するためであり、好ましくは２．１≦ｗ／ｘ≦２．７である。ｘ−２ｍｍ＞ｙでは、初期開口時の作用点がＸ近傍となり、開口案内線から離れ過ぎて、ホップ値が高くなり、開口性が劣化するためであり、ｘ＋０．５ｍｍ＜ｙでは初期開口時の作用点が開口案内線から離れ過ぎて、ホップ値が高くなり、開口性が劣化するためであり、好ましくはｘ−１ｍｍ≦ｙ≦ｘ−０．２ｍｍが好ましい。
【００１２】
ｔ＞ｘ＋１．５ｍｍでは、初期開口した後、引き続いて全体が開口していく過程での開口力であるティアー値が高くなる。極端な場合には初期開口のみで全体が開口できないためである。
ｘ−２．５ｍｍ＞ｔでは、タブ自体の剛性が低下して開蓋性が不安定となり、好ましくない。すなわち、タブの初期開口時の作用点やその後のティアー開口の作用点の剛性が低下するためである。
ｔ＋０．２ｍｍ＞ｚでは、開口舌片を開口案内線に沿って開口させていく時にストロークが足りず全開出来なくなる。ｘ＋３．５ｍｍ＜ｚでは初期開口時からこの部分が開口舌片と接触し、開口性が著しく劣化するためであり、好ましくはｔ＋０．６ｍｍ≦ｚ≦ｘ＋２．３ｍｍである。
【００１３】
さらに、タブの形状が、リベット中心Ｑを通り、タブ幅方向中心線と４０°〜６０°をなす直線上のタブ端において、曲率半径ＺＲｚが２．５ｍｍ以下の形状となる部分を有することが望ましい。曲率半径ＺＲｚが２．５ｍｍ以下の形状となる部分を有しない場合には、ティアの開蓋が不十分となる場合があるためである。曲率半径ＺＲｚが２．５ｍｍ以下の部分で開口片をしっかり押し下げられるタブ形状であることが望ましい。
【００１４】
さらに、タブに初期裂開のための突起Ｓを、リベット中心Ｑを通るタブ幅方向の中心線と突起Ｓとリベット中心Ｑとを結ぶ直線が＋１０°以上−３０°以下の角度をなすように設けることが望ましい。リベット中心Ｑを通るタブ幅方向の中心線と突起Ｓとリベット中心Ｑとを結ぶ直線との角度が＋１０°以上−３０°以下の範囲を外れると突起Ｓの効果を有効に活用できなくなる。より好ましくは、＋５°以上−２５°以下の範囲が望ましい。また突起の突出量は、その効果を確保するため０．２ｍｍ以上が、タブ取り付け作業性から３ｍｍ以下が望ましい。
【００１５】
さらに、タブの形状が、タブの縦方向長さａとタブ先端からタブ切れ込み先端までの距離ｂの比ｂ／ａが０．０８〜０．２であり、リベット先端からタブ切れ込み先端までの距離ｃがｂ＋ｃ≧３ｍｍ以上であり、前述の距離ｂとタブ切れ込み先端幅ｄの比ｄ／ｃが１以上であることが望ましい。
挺子として働くタブの支点の位置をタブ形状で制御するためには、タブ縦方向長さａとタブ先端からタブ切れ込み先端までの距離ｂの比ｂ／ａを０．０８〜０．２とすることが望ましい。更に望ましくは０．１０〜０．１８である。
【００１６】
また、リベット先端からタブ切れ込み先端までの距離ｃと距離ｂの和が小さすぎると蓋を完全に開口することはできないためｂ＋ｃを３ｍｍ以上とすることが望ましい。更に、望ましくは４ｍｍ以上である。また、タブ先端からタブ切れ込み先端までの距離ｂとタブ切れ込み先端幅ｄの比ｄ／ｃが小さい場合には支点の位置は確保できるものの開口片を完全に開口できないため、その値は１以上とすることが望ましい。更に、望ましくは２以上である。
なお、本発明が対象とするタブの、リベットより後端側は、基本的に線対称な形状である。上記の中心線とはこの対称な形状の中心線をいう。
【００１７】
また、角度はこの中心線を基準として表示する。中心線のいずれの側を正としてもよい。従って、図３に示した実施例と、中心線に対して対称なタブも当然本発明に含まれる。
タブは鋼板やアルミ合金板で製造されるが、本発明はどのような金属に対しても適用可能で、表面処理を施していない鋼板、表面処理を施した鋼板、アルミ合金板、およびこれらの表面に樹脂フィルムを貼付した金属板を用いても問題ない。また、表面処理の種類、フィルムの種類、フィルムの貼付方法等の限定はなく、その他、表面への各種処理を施した場合にも利用可能である。
【００１８】
蓋パネルについても鋼板やアルミ合金が用いられるが、これについてもタブの素材と同様である。蓋パネルに設けられる開口案内線の形成方法には様々な種類があり、たとえば台形形状のスコアー加工を施す、台形形状の先端の幅や台形形状の角度等を変化させたスコアー加工を施す、角部に曲率を付加したスコアー加工を施す等の方法があるが、本発明に対してはどのような開口案内線形状でも使用可能である。
【００１９】
【実施例】
以下、本発明の実施例について説明する。
図３及び４に本発明を適用して作製した代表的な蓋を示す。
リベット中心から開口案内溝までの最大距離が１９．０ｍｍであるφ２００の蓋本体に、距離ｘが８．０ｍｍ、距離ｙが７．４ｍｍ、距離ｚが９．６ｍｍ、リベット中心Ｑを通り、タブ幅方向中心線と４０°〜６０°をなす直線上のタブ端における曲率半径の最小値ＺＲｚが１．２５ｍｍ、初期裂開のための突起Ｓを２０°の位置に有し、距離ａが２５．０ｍｍ、距離ｂが３．０ｍｍ、距離ｃが１．５ｍｍ、距離ｄが４．０ｍｍであり、ｂ／ａは０．１２、ｂ＋ｃは４．５ｍｍ、ｄ／ｃは２．７のタブを取り付けてあり本発明の条件を満足している。蓋素材としてはＴ３材、タブ素材にはＴ４材を用い、残厚を５０μｍとしたが、ホップ値が１．３ｋｇｆ、ティアー値が１．６ｋｇｆであり良好な開口性を示した。
表１に、評価した結果をまとめて示すが、この実施例からわかるように、本発明を適用することで開缶の容易なイージーオープン蓋を備え付けた容器が得られる。
【００２０】
【表１】
0004276358.tif 000002
【００２１】
【発明の効果】
以上述べたように、本発明によりタブ先端部の形状を改良することで蓋パネルの形状を変更することなく開口性を向上できる極めて優れた効果を奏するものである。
【図面の簡単な説明】
【図１】本発明の基本となる形状の外観を示す図である。
【図２】本発明の基本となる形状の外観を示す図である。
【図３】本発明に係る実施例を示す図である。
【図４】本発明に係る他の実施例を示す図である。
【符号の説明】
１  タブ
２  開口案内線
３  リベット
【図１】
0004276358.tif 000003
【図２】
0004276358.tif 000004
【図３】
0004276358.tif 000005
【図４】
0004276358.tif 000006